(57)【特許請求の範囲】
【請求項１】
ディスクカートリッジを挿抜自在に保持するカートリッジ収納部およびディスクカートリッジの挿入によってカートリッジシャッタを全開位置に移動操作するシャッタ開放機構部を有するホルダー本体と、このホルダー本体にカートリッジ挿抜方向に摺動自在に設けられディスクカートリッジの引き抜きによって前記カートリッジシャッタを係止するカートリッジシャッタ閉塞用の板ばねとを備え、
前記板ばねは、
ホルダー本体の側面板に対向しカートリッジ挿抜方向に延在する第１のばね片と、
第１のばね片の上方端縁に一体に形成されホルダー本体の天井板の上面側に延在する台形状の第２のばね片と、
第１のばね片のカートリッジ挿入側に一体に形成され、ホルダー本体の天井板の上面側に延在し自由端部が係止される第３のばね片とからなり、
第１のばね片は、カートリッジ引き抜き側下方端縁にシャッタ係止片を有し、カートリッジ引き抜き側端部にカートリッジのシャッタ部材をカートリッジ幅方向に押圧するカートリッジ接触子を有し、カートリッジ挿入側端部にこの第１のばね片を摺動自在に保持するホルダー本体側の保持ピンが臨むカートリッジ挿入方向に延在する長孔を有し、
第２のばね片は、カートリッジ引き抜き方向に移動することによりホルダー本体の天井板に設けられた突子に押圧して第１のばね片にホルダー本体の側面板から離間する方向に弾性変形力を付与するカム部および第１のばね片のカートリッジ引き抜き方向の移動を規制するストッパーを有し、
１枚の板ばね材で形成されていることを特徴とするカートリッジホルダ。
【請求項２】
前記板ばねに前記カートリッジ収納部におけるディスクカートリッジをカートリッジ厚さ方向片側に押圧する段部片を有する第４のばね片が一体に形成されていることを特徴とする請求項１に記載のカートリッジホルダー。
【発明の詳細な説明】
【０００１】
【産業上の利用分野】
本発明は、例えばミニディスク（ＭＤ）あるいは２インチフロッピーディスク（ＦＤ）を記録および／または再生を行うディスク装置に使用して好適なカートリッジホルダーに関するものである。
【０００２】
【従来の技術】
例えばＭＤや２インチＦＤ等のディスクは、ディスク装置側のヘッドが臨むカートリッジ開口部を有するカートリッジ内に回転自在に収納されており、このカートリッジのカートリッジ幅方向片側においてカートリッジ挿抜方向に摺動するシャッタの開閉によってカートリッジ開口部からディスク信号記録面を外部に露呈させ、このディスク信号記録面にヘッドを臨ませて記録および再生またはこれらのうちいずれか一方が行われる。
【０００３】
従来、この種のディスクをカートリッジ内に収納してなるディスクカートリッジは、図７〜図９に示すように構成されている。
【０００４】
同図において、符号２０１で示すディスクカートリッジは、円盤状に形成してなる光磁気ディスク２０２と、この光磁気ディスク２０２を回転可能に収納してなるカートリッジ２０３とを有して構成されている。
【０００５】
このうち光磁気ディスク２０２にはデータ記録領域に磁気記録層が形成されており、この磁気記録層に光磁気的な手段によって情報信号の書き込みおよび読み出しあるいはこれらのうち一方が行われる。
【０００６】
この光磁気ディスク２０２は、一方の主面部が信号記録面となり、ディスク中央部には円盤状に形成された金属製のチャッキングハブ２０２ａが設けられている。
【０００７】
一方、カートリッジ２０３は、前記光磁気ディスク２０２を内部に収納し得るに十分な空間を有する略箱状の上下一対の上ハーフ２０４と下ハーフ２０５からなり、これら各ハーフ２０４，２０５を互いに突き合わせて構成されている。
【０００８】
このカートリッジ２０３には、前面部２０９および一方側側面部２０７を含むカートリッジ挿入側角部を切欠き形成することによりカートリッジホルダー（後述）に対する前記ディスクカートリッジ２０１の円滑な挿入を可能とするガイド面２０３ａが設けられている。
【０００９】
このカートリッジ２０３の一方側側面部２０７にはカートリッジ挿抜方向に間隔をもって並列する複数のシャッタガイド部２２４ａを有しカートリッジホルダー（後述）のシャッタ開放用突起（後述）が臨んでカートリッジ開口部を開蓋状態とするシャッタ開放用凹溝２２４が設けられており、他方側側面部２０８のカートリッジ挿入側には誤挿入防止用突起（後述）が臨んでディスクカートリッジ２０１の挿入を可能とする誤挿入防止用凹溝２２８およびこの誤挿入防止用凹溝２２８のカートリッジ引き抜き側に位置しカートリッジ挿入状態においてカートリッジ装着用アーム（後述）のカートリッジ係止片（後述）が臨む凹孔２２９が設けられている。
【００１０】
また、このカートリッジ２０３内における一方側側面部２０７近傍のカートリッジ挿入側には、カートリッジ幅方向片側に開口する凹部２３０ａおよび復帰習性を付与するためのアーム弾性変形可能部２３０ｂを有し前記シャッタ開放用凹溝２２４内に臨んでシャッタ部材（図示せず）を全閉位置に係止するシャッタ係止アーム２３０が回動自在に収納されている。
【００１１】
そして、このカートリッジ２０３の下ハーフ２０５には光磁気ディスク装置本体内のディスクカートリッジ２０１を水平方向に位置決めするカートリッジ位置決めピン（後述）が係合するカートリッジ位置決めピン係合孔２２５，２２６がカートリッジ挿抜方向に間隔をもって設けられており、このうちカートリッジ位置決めピン係合孔２２６のカートリッジ幅方向には他方側側面部２０８の近傍に位置し光磁気ディスク２０２に対する情報信号の書き込み可否を選択するための誤消去防止部材２２７が設けられている。
【００１２】
この下ハーフ２０５の下面部には、一方側側面部２０７の近傍に位置しカートリッジ挿抜方向に延在するシャッタガイド溝２０５ａが設けられている。
【００１３】
また、この下ハーフ２０５には、前記光磁気ディスク２０２の信号記録面一部および前記チャッキングハブ２０２ａをカートリッジ外に露呈させるための第１開口部２０６と中央部開口窓２０６Ａが設けられている。
【００１４】
このうち第１開口部２０６は、前記カートリッジ２０３の前面部２０９と後面部２０９Ａ間のカートリッジ挿抜方向略中央部に前記カートリッジ２０３の一方側側面部２０７よりカートリッジ幅方向略中央部に亘って延在する長孔によって形成されており、前記ディスクカートリッジ２０１が光磁気ディスク装置本体内に装着された時に光磁気ディスク２０２の信号記録面一部を光学ピックアップ装置（図示せず）の対物レンズ（図示せず）に臨ませるように構成されている。
【００１５】
また、中央開口部２０６Ａは、前記第１開口部２０６の近傍において開口する丸孔によって形成されており、前記チャッキングハブ２０２ａをディスク回転駆動機構（図示せず）のディスクテーブル（図示せず）に臨ませるように構成されている。
【００１６】
そして、上ハーフ２０４には、前記カートリッジ２０３の一方側側面部２０７近傍に位置し前記第１開口部２０６に対応する第２開口部２１６が設けられている。
【００１７】
この第２開口部２１６は、光磁気ディスク２０２の他方側主面部の一部をカートリッジ外に露呈させるに十分な大きさの平面視矩形状の開口部として形成されており、前記ディスクカートリッジ２０１が光磁気ディスク装置本体内に装着された時に光磁気ディスク２０２の他方側主面部を磁界印加ヘッド（図示せず）に臨ませるように構成されている。
【００１８】
２１１は前記両開口部２０６，２１６および前記中央部開口窓２０６Ａを開閉するカートリッジシャッタとしてのシャッタ部材で、前記カートリッジ２０３のカートリッジ幅方向片側端部にカートリッジ挿抜方向に摺動自在に取り付けられている。
【００１９】
このシャッタ部材２１１は、前記下ハーフ２０５の第１開口部２０６および中央部開口窓２０６Ａを閉蓋する第１シャッタ板部２１２と、この第１シャッタ板部２１２と平行にして設けられ前記上ハーフ２０４の第２開口部２１６を閉蓋する第２シャッタ板部２１３と、この第２シャッタ板部２１３および前記第１シャッタ板部２１２の基端部同士を連結する連結片部２１４とによって構成されている。
【００２０】
このうち第１シャッタ板部２１２は、前記第１開口部２０６および前記中央部開口窓２０６Ａを閉蓋するに十分な大きさの矩形片として形成されている。
【００２１】
この第１シャッタ板部２１２は、先端部が前記シャッタ押え板２１５によって押圧支持されており、これにより前記カートリッジ２０３からの浮き上がりが防止される。
【００２２】
一方、第２シャッタ板部２１３は、前記第２開口部２１６を閉蓋するに十分な大きさの矩形片として形成されている。
【００２３】
そして、連結片部２１４は、前記カートリッジ２０３の厚さと略等しい縦方向寸法をもつ矩形状の基部片２１４ａと、この基部片２１４ａのカートリッジ挿抜方向両端部に一体に設けられ前記シャッタ開放用凹溝２２４のガイド部２２４ａおよび前記下ハーフ２０５のガイド溝２０５ａに係合可能な断面視略コ字状のガイド片２１４ｂ，２１４ｃとによって構成されている。
【００２４】
この連結片部２１４の基部片２１４ａにはシャッタ閉塞用板ばね（後述）の一部が挿入可能な角孔からなるシャッタ開口部２１４ａ１が設けられており、また両ガイド片２１４ｂ，２１４ｃのうちカートリッジ挿入側のガイド片２１４ｂにはシャッタ閉状態において前記シャッタ係止アーム２３０の凹部２３０ａ内に臨む係止片２１４ｂ１が一体に設けられている。
【００２５】
なお、図における矢印Ｙ１およびＹ２は、前記シャッタ部材２１１が前記両開口部２０６，２１６および前記中央部開口窓２０６Ａを閉蓋する位置と前記両開口部２０６，２１６および前記中央部開口窓２０６Ａを開蓋する位置との間を移動する方向を示す。
【００２６】
次に、このように構成されたディスクカートリッジが装着される光磁気ディスク装置のカートリッジホルダーにつき、図１０を用いて説明する。
【００２７】
同図において、符号３０１で示すカートリッジホルダーは、前記ディスクカートリッジ２０１を挿抜自在に保持するカートリッジ収納部３０２および前記ディスクカートリッジ２０１の挿入によって前記シャッタ部材２１１を開方向に移動操作するシャッタ開放機構部としてのシャッタ開放用突起３０３を有するカートリッホルダー本体３０４と、このホルダー本体３０４におけるカートリッジ引き抜き側の片側端部に取り付けられ前記ディスクカートリッジ２０１の引き抜きによって前記シャッタ部材２１１を係止するシャッタ閉塞用の板ばね３０５等とからなり、ディスク装置側のシャーシ（図示せず）上に設けられている。
【００２８】
このカートリッジホルダー３０１のホルダー本体３０４は、各々が互いに所定の間隔をもって対向する２つの側面板３０６，３０７と、これら側面板３０６，３０７を連結する天井板３０８とからなる断面視略コ字状片によって形成されている。
【００２９】
このホルダー本体３０４の天井板３０８のカートリッジ引き抜き側端縁にはカートリッジ挿入時に前記ディスクカートリッジ２０１を案内するカートリッジガイド３０８ａ，３０８ｂが互いにホルダー幅方向に間隔をもって一体に設けられており、カートリッジ挿入側端縁の側面板３０６寄りにはホルダー上方に突出する逆Ｌ字状のアーム浮き上がり防止片３０８ｃ，３０８ｄが一体に設けられている。
【００３０】
この天井板３０８の両アーム浮き上がり防止片３０８ｃ，３０８ｄの前記側面板３０７寄りには、カートリッジ挿入側端縁において開口する切欠き溝３０８ｅが形成されている。
【００３１】
また、この天井板３０８の前記側面板３０７近傍には、カートリッジ挿抜方向略中央部において開口し前記ディスクカートリッジ２０１の第２開口部２１６に対応する平面視略正方形状の貫通窓３０８ｆおよびこの貫通窓３０８ｆの４開口縁部のうちカートリッジ挿入側の開口縁部を除く開口縁部に跨って突出する立ち上がり壁３０８ｇが設けられている。
【００３２】
さらに、この天井板３０８の内面角部には、前記カートリッジホルダー３０１のカートリッジ収納部３０２におけるディスクカートリッジ２０１をシャーシ側に押圧する突子３０８ｈ〜３０８ｋが形成されている。
【００３３】
この天井板３０８に連接してなる両側側面板３０６，３０７のうち一方の側面板３０６の下方端縁前端部およびカートリッジ挿抜方向略中央部には前記ディスクカートリッジ２０１を保持するホルダー片３０９，３１０が一体に設けられており、これらホルダー片３０９，３１０のカートリッジ引き抜き側端縁にはカートリッジ挿入時に前記ディスクカートリッジ２０１を案内するガイド３０９ａ，３１０ａが一体に設けられている。
【００３４】
この側面板３０６のカートリッジ引き抜き側端縁にはカートリッジ挿入時に前記ディスクカートリッジ２０１を案内するガイド３０６ａが一体に設けられており、カートリッジ挿入側端部にはカートリッジ挿抜時に前記ディスクカートリッジ２０１の誤挿入防止用凹溝２２８内に臨む誤挿入防止用突起３０６ｂが一体に設けられている。
【００３５】
また、この側面板３０６の誤挿入防止用突起３０６ｂ近傍には、カートリッジ挿入状態においてカートリッジ装着用アーム（後述）のカートリッジ係止片（後述）が挿通する開口部３０６ｃが設けられている。
【００３６】
そして、この側面板３０６に間隔をもって対向する他方の側面板３０７の下方端縁カートリッジ引き抜き側端部には前記ディスクカートリッジ２０１を保持するホルダー片３１１が一体に設けられており、このホルダー片３１１のカートリッジ引き抜き側端縁にはカートリッジ挿入時に前記ディスクカートリッジ２０１を案内するガイド３１１ａが一体に設けられている。
【００３７】
この他方の側面板３０７のカートリッジ引き抜き側端縁には、カートリッジ挿入時に前記ディスクカートリッジ２０１を案内するガイド３０７ａおよびこのガイド３０７ａのカートリッジ挿入側において開口し板ばね（後述）のシャッタ係止片（後述）が臨む貫通窓３０７ｂが設けられている。
【００３８】
３１２は前記ディスクカートリッジ２０１の挿抜によって回動するカートリッジ装着用アームで、前記ホルダー本体３０４の天井板３０８に前記側面板３０６寄りのカートリッジ挿入側端部に支軸３１３を介して枢支されており、全体が平面視略扇形状のアームによって形成されている。
【００３９】
このカートリッジ装着用アーム３１２の反枢支側端部には、前記ディスクカートリッジ２０１の挿入状態において前記カートリッジ２０３の凹孔２２９内に臨むカートリッジ係止片３１２ａおよび前記天井板３０８の切欠き溝３０８ｅ内に臨むカートリッジ接触片３１２ｂが一体に設けられている。
【００４０】
また、このカートリッジ装着用アーム３１２には、前記支軸３１３の近傍において開口し前記両アーム浮き上がり防止片３０８ｃ，３０８ｄのうちカートリッジ挿入側のアーム浮き上がり防止片３０８ｃが臨むアーム回動規制用溝３１２ｃが形成されている。
【００４１】
なお、カートリッジ装着用アーム３１２は、前記カートリッジ係止片３１２ａと前記カートリッジ２０３との係止状態を解除する方向に引張コイルスプリング３１４によって常時回動付勢されている。
【００４２】
一方、カートリッジホルダー３０１の板ばね３０５には反板ばね取付側端部において前記カートリッジ収納部３０２側に突出する折曲片３１９が形成されており、この折曲片３１９には前記ディスクカートリッジ２０１の挿抜によって前記シャッタ部材２１１のシャッタ開口部２１４ａ１内外を進退する断面視略コ字状のシャッタ係止片３２０が絞り加工によって形成されている。
【００４３】
この板ばね３０５のシャッタ係止片３２０には、前記シャッタ部材２１１の係止状態において前記シャッタ開口部２１４ａ１内に臨む係止部３２０ａ１およびこの係止部３２０ａ１を介して連接するガイド部３２０ａ２，３２０ａ３が設けられている。
【００４４】
そして、この板ばね３０５は、前記カートリッジホルダー３０１のカートリッジ収納部３０２に対する前記ディスクカートリッジ３０１の挿入によって前記シャッタ係止片３２０の係止部３２０ａ１が前記シャッタ部材２１１のシャッタ開口部２１４ａ１内に進入し、前記カートリッジホルダー３０１のカートリッジ収納部３０２からの前記ディスクカートリッジ２０１の引き抜きによって前記シャッタ係止片３２０の係止部３２０ａ１が前記シャッタ部材２１１のシャッタ開口部２１４ａ１の縁部を係止するように構成されている。
【００４５】
このように構成されたカートリッジホルダー３０１におけるカートリッジ収納部３０２に対して図１１に矢印Ｄ１で示す方向にディスクカートリッジ２０１を挿入すると、カートリッジ２０３のガイド面２０３ａが板ばね３０５のシャッタ係止片３２０のガイド部３２０ａ２に押圧接触する。
【００４６】
このとき、板ばね３０５がホルダー本体３０４の側面板３０７から離間する方向に押圧力を受けて弾性変形する。
【００４７】
このディスクカートリッジ３０１を矢印Ｄ１方向にさらに挿入すると、シャッタ係止片３２０の係止部３２０ａ１がカートリッジ２０３のガイド面２０３ａから図１１に矢印Ｄ２で示す方向に相対移動してカートリッジ２０３の一方側側面部２０７に乗り上げる。
【００４８】
そして、ディスクカートリッジ２０１を矢印Ｄ１方向にさらに挿入すると、シャッタ係止片３２０の係止部３２０ａ１が矢印Ｄ２方向にさらに相対移動してシャッタ部材２１１の連結片部２１４に乗り上げ、ホルダー本体３０４のシャッタ開放用突起３０３がカートリッジ２０３のシャッタ開放用凹溝２２４内に臨む。
【００４９】
このディスクカートリッジ２０１を矢印Ｄ１方向にさらに挿入すると、シャッタ係止片３２０の係止部３２０ａ１が矢印Ｄ２方向にさらに相対移動して連結片部２１４のシャッタ開口部２１４ａ１に到達すると共に、これと略同時にホルダー本体３０４のシャッタ開放用突起３０３から連結片部２１４が押圧力を受けてシャッタ部材２１１が図１１に矢印Ｙ１で示す開方向に移動する。
【００５０】
このとき、板ばね３０５がホルダー本体３０４の側面板３０７に接近する方向に弾性復帰してシャッタ係止片３２０の係止部３２０ａ１が連結片部２１４のシャッタ開口部２１４ａ１内に落ち込むと共に、カートリッジ２０３の第１開口部２０６，第２開口部２１６が一部開放して光磁気ディスク２０２の信号記録面一部がカートリッジ２０３外に露呈する。
【００５１】
図１１に矢印Ｄ１で示す方向にディスクカートリッジ２０１をさらに挿入すると、シャッタ部材２１１が矢印Ｙ１方向にさらに移動し、カートリッジ２０３の前面部２０９がカートリッジ装着用アーム３１２のカートリッジ接触片３１２ｂに当接する。
【００５２】
そして、ディスクカートリッジ２０１が矢印Ｄ１方向にさらに挿入すると、シャッタ開放用突起３０３の押圧によってシャッタ部材２１１が矢印Ｙ１方向にさらに移動すると共に、カートリッジ２０３の押圧によってカートリッジ装着用アーム３１２が引張コイルスプリング３１４の弾撥力に抗して図１１に矢印Ｅ１で示す方向に回動する。
【００５３】
この後、ディスクカートリッジ２０１の挿入によるシャッタ開放用突起３０３の押圧によってシャッタ部材２１１が全開位置に移動する。
【００５４】
また、ディスクカートリッジ２０１の挿入によるカートリッジ２０３の押圧によってカートリッジ装着アーム３１２が係止位置に回動し、カートリッジ係止片３１２ａがカートリッジ２０３の凹孔２２９ａ内に臨む。
【００５５】
一方、カートリッジ挿入位置におけるカートリッジ装着アーム３１２の係止状態を解除すると、引張コイルスプリング３１４の弾撥力によってカートリッジ装着アーム３１２が図１１に矢印Ｅ２で示す方向に回動し、カートリッジ装着アーム３１２のカートリッジ係止片３１２ａがカートリッジ２０３の凹孔２２９外に露出する。
【００５６】
このとき、カートリッジ装着アーム３１２のカートリッジ係止片３１２ａとカートリッジ２０３の凹孔２２９との係止状態が解除される。
【００５７】
そして、カートリッジ装着アーム３１２が矢印Ｅ２方向に回動すると、引張コイルスプリング３１４の弾撥力によるカートリッジ接触片３１２ｂの押圧接触によってディスクカートリッジ２０１が図１１にＤ２で示す方向に移動すると共に、シャッタ係止片３２０の矢印Ｄ１方向への相対移動による係止部３２０ａ１の押圧接触によってシャッタ部材２１１が全開位置から図１１に矢印Ｙ２で示す閉方向に移動して全閉する。
【００５８】
ここで、ディスクカートリッジ２０１を矢印Ｄ２方向に引き抜くと、ディスクカートリッジ２０１に対して板ばね３０５のシャッタ係止片３２０が図１１に矢印Ｄ１で示す方向に相対移動する。
【００５９】
このとき、シャッタ係止片３２０のガイド部３２０ａ３がシャッタ部材２１１のシャッタ開口部２１４ａ１における縁部から押圧力を受けて板ばね３０５がホルダー本体３０４の側面板３０７から離間する方向に弾性変形しながら、シャッタ係止片３２０の係止部３２０ａ１がシャッタ開口部２１４ａ１外に露出してシャッタ部材２１１の連結片部２１４に乗り上げる。
【００６０】
そして、ディスクカートリッジ２０１を矢印Ｄ２方向にさらに引き抜くと、板ばね３０５のシャッタ係止片３２０がディスクカートリッジ２０１に対して矢印Ｄ１方向にさらに相対移動してカートリッジ２０３の一方側側面部２０７に乗り上げると共に、ホルダー本体３０４のシャッタ開放用突起３０３がカートリッジ２０３のシャッタ開放用凹溝２２４外に露出する。
【００６１】
この後、ディスクカートリッジ２０１を矢印Ｄ２方向にさらに引き抜き、板ばね３０５のシャッタ係止片３２０を矢印Ｄ１方向に相対移動操作してカートリッジ２０３の一方側側面部２０７に対する押圧状態を解除すると、板ばね３０５が弾性復帰し、ディスクカートリッジ２０１がホルダー本体３０４のカートリッジ収納部３０２外に露出する。
【００６２】
【発明が解決しようとする課題】
ところで、従来のカートリッジホルダーにおいては、ホルダー本体３０４に板ばね３０５を固定するものであるため、板ばね３０５のばね定数を厳密な数値に設定する必要があった。
【００６３】
すなわち、板ばね３０５のばね定数が大きいと、それだけ板ばね３０５とシャッタ部材２１１の係止力が大きくなり、このためカートリッジ引き抜き時の抵抗力が大きくなって円滑な引き抜き動作を得ることができない。
【００６４】
この場合、カートリッジ収納部３０２からディスクカートリッジ２０１を無理に引き抜くと、カートリッジ２０３や板ばね３０５が破損することがあった。
【００６５】
一方、板ばね３０５のばね定数が小さいと、それだけ板ばね３０５とシャッタ部材２１１の係止力が小さくなり、このためカートリッジ引き抜き時にシャッタ部材２１１が全閉する以前に板ばね３０５とシャッタ部材２１１の係止状態が解除され、この状態でディスクカートリッジ２０１が引き抜かれてディスクカートリッジ２０１の良好な引き抜き動作を得ることができない。
【００６６】
この結果、板ばね３０５の形状や寸法等の許容範囲が狭くなり、板ばね３０５の設計自由度が低下するという問題があった。
【００６７】
また、従来のカートリッジホルダーにおいては、カートリッジ収納部３０２の幅方向寸法が規格上最大のカートリッジ幅方向寸法をもつディスクカートリッジに合わせて若干大きな寸法に設定されているため、図１２に示すように最大のカートリッジ幅方向寸法より小さいカートリッジ幅方向寸法をもつディスクカートリッジ２０１を押圧力Ｆによってカートリッジ収納部３０２に挿入すると、カートリッジ装着アーム３１２のカートリッジ接触片３１２ｂから反力Ｐを受けてカートリッジ挿抜方向に対し傾斜した姿勢になり、ディスクカートリッジ２０１の挿入ミスが発生するという問題もあった。
【００６８】
さらに、この種のカートリッジホルダーにおいては、カートリッジ押圧用の突子３０８ｈ〜３０８ｋがホルダー本体３０４の天井板３０８に対して固定されているため、これら突子３０８ｈ〜３０８ｋのうち１個の突子が機能しない。
【００６９】
この場合、押圧子として機能する各突子からディスクカートリッジ２０１が受ける押圧力ｆは、４個の突子３０８ｈ〜３０８ｋが全て機能すると仮定した場合にこれら各突子からディスクカートリッジ２０１が受ける押圧力ｆ１より大きくなる。
【００７０】
ここで、カートリッジホルダー３０１のカートリッジ収納部３０２に対するディスクカートリッジ２０１の挿入状態において図１３に示すようにホルダー本体３０４の天井板３０８からカートリッジ２０３の上面部が押圧力Ｆを受けるとすると、押圧子として３個の突子が機能する場合の各突子からディスクカートリッジ２０１が受ける押圧力ｆおよび押圧子として４個の突子が機能する場合の各突子からディスクカートリッジ２０１が受ける押圧力ｆ１は各々ｆ＝Ｆ／３，ｆ１＝Ｆ／４（ｆ＞ｆ１）となる。
【００７１】
この結果、カートリッジ挿入状態においてカートリッジ２０３にホルダー本体３０４の天井板３０８から３個の突子を介して押圧力Ｆが作用し、ホルダー本体３０４やカートリッジ２０３に歪みが発生し易くなるという不都合があった。
【００７２】
本発明はこのような事情に鑑みてなされたもので、板ばねの形状や寸法等の許容範囲を拡げることができ、もって板ばねの設計自由度を高めることができるカートリッジホルダーを提供するものである。
【００７４】
本発明の別の発明（請求項２）は、カートリッジ挿入状態においてディスクカートリッジにホルダー本体から板ばねの段部片の押圧力を作用させることができ、もってホルダー本体やディスクカートリッジの歪み発生を抑制することができるカートリッジホルダーを提供するものである。
【００７５】
【課題を解決するための手段】
本発明に係るカートリッジホルダーは、ディスクカートリッジの引き抜きによってカートリッジシャッタを係止する板ばねを、ディスクカートリッジの引き抜きによってカートリッジシャッタを全閉位置に移動操作してから、カートリッジ引き抜き方向に移動しながらカートリッジシャッタの係止状態を解除する方向に弾性変形する板ばねによって構成したものである。
【００７６】
そして、前記板ばねは、ホルダー本体の側面板に対向しカートリッジ挿抜方向に延在する第１のばね片と、第１のばね片の上方端縁に一体に形成されホルダー本体の天井板の上面側に延在する台形状の第２のばね片と、第１のばね片のカートリッジ挿入側に一体に形成され、ホルダー本体の天井板の上面側に延在し自由端部が係止される第１のばね片のカートリッジ引き抜き方向への移動を引き戻すように作用する第３のばね片とからなり、第１のばね片は、カートリッジ引き抜き側下方端縁にシャッタ係止片を有し、カートリッジ引き抜き側端部にカートリッジのシャッタ部材をカートリッジ幅方向に押圧するカートリッジ接触子を有し、カートリッジ挿入側端部にこの第１のばね片を摺動自在に保持するホルダー本体側の保持ピンが臨むカートリッジ挿入方向に延在する長孔を有し、第２のばね片は、カートリッジ引き抜き方向に移動することによりホルダー本体の天井板に設けられた突子に押圧して第１のばね片にホルダー本体の側面板から離間する方向に弾性変形力を付与するカム部および第１のばね片のカートリッジ引き抜き方向の移動を規制するストッパーを有し、１枚の板ばね材で形成されていることを特徴とするものである。
【００７７】
本発明の別の発明（請求項２）に係るカートリッジホルダーは、板ばねにカートリッジ収納部におけるディスクカートリッジをカートリッジ厚さ方向片側に押圧する段部片を一体に形成したものである。
【００７８】
【作用】
本発明においては、カートリッジ引き抜き時にカートリッジ引き抜き抵抗が小さくなってディスクカートリッジの円滑な引き抜き動作が得られると共に、カートリッジシャッタが全閉位置に移動してからディスクカートリッジの引き抜き完了状態が得られる。
【００７９】
カートリッジの挿入されている状態においてシャッタ部材が開いており、第１のばね片のシャッタ係止片はシャッタ開口部内にカートリッジ接触片より突出する寸法だけ臨んでいる。カートリッジを引き抜くときシャッタ係止片を有する第１のばね片が第３のばね片に抗して引き抜き方向に移動する。そのとき第１のばね片と共にカートリッジ引き抜き方向に移動する第２のばね片のカム部がホルダー本体の天井板に設けられた突子に押圧して第１のばね片にホルダー本体の側面板から離間する方向に弾性変形力が付与され、シャッタ係止片がシャッタ開口部から外れる。
【００８０】
本発明の別の発明（請求項２）においては、カートリッジ収納部のディスクカートリッジが板ばねによってカートリッジ厚さ方向に押圧力を受ける。
【００８１】
【実施例】
以下、本発明の構成等を図に示す実施例によって詳細に説明する。
【００８２】
図１は本発明に係るカートリッジホルダーとディスクカートリッジを示す斜視図、図２は本発明におけるカートリッジホルダーの板ばねを示す斜視図、図３は本発明におけるカートリッジホルダーを示す平面図、図４（Ａ）および（Ｂ）は本発明におけるカートリッジホルダーの板ばねの初期状態と変形状態を示す平面図、図５（Ａ）および（Ｂ）は本発明におけるカートリッジホルダーへのディスクカートリッジの挿入状態を示す下面図とそのＡ部分を拡大して示す断面図、図６は本発明におけるカートリッジホルダーによるディスクカートリッジの押圧状態を説明するために示す斜視図で、同図においてディスクカートリッジについては図７〜図１３で示すディスクカートリッジと同一の符号を付し、詳細な説明は省略する。
【００８３】
同図において、符号５０１で示すカートリッジホルダーは、前記ディスクカートリッジ２０１を挿抜自在に保持するカートリッジ収納部５０２および前記ディスクカートリッジ２０１の挿入によって前記シャッタ部材２１１を全開位置に移動操作するシャッタ開放機構部としてのシャッタ開放用突起５０３を有するカートリッホルダー本体５０４と、このホルダー本体５０４におけるカートリッジ引き抜き側の片側端部にカートリッジ挿抜方向に摺動自在に設けられ前記ディスクカートリッジ２０１の引き抜きによって前記シャッタ部材２１１を係止するシャッタ部材閉塞用の板ばね５０５等とからなり、ディスク装置側のシャーシ（図示せず）上に設けられている。
【００８４】
このカートリッジホルダー５０１のホルダー本体５０４は、各々が互いに所定の間隔をもって対向する２つの側面板５０６，３０７と、これら側面板５０６，５０７を連結する天井板５０８とからなる断面視略コ字状片によって形成されている。
【００８５】
このホルダー本体５０４の天井板５０８のカートリッジ引き抜き側端縁にはカートリッジ挿入時に前記ディスクカートリッジ２０１を案内するカートリッジガイド５０８ａ，５０８ｂが互いにホルダー幅方向に間隔をもって一体に設けられており、カートリッジ挿入側端縁の側面板５０６寄りにはホルダー上方に突出する逆Ｌ字状のアーム浮き上がり防止片５０８ｃ，５０８ｄが一体に設けられている。
【００８６】
この天井板３０８の両アーム浮き上がり防止片５０８ｃ，５０８ｄの前記側面板５０７寄りには、カートリッジ挿入側端縁において開口する切欠き溝５０８ｅが形成されている。
【００８７】
また、この天井板５０８の前記側面板５０７近傍には、カートリッジ挿抜方向略中央部において開口し前記ディスクカートリッジ２０１の第２開口部２１６に対応する平面視略正方形状の貫通窓５０８ｆおよびこの貫通窓５０８ｆの４開口縁部のうちカートリッジ挿入側の開口縁部を除く開口縁部に跨って突出する立ち上がり壁５０８ｇが設けられている。
【００８８】
そして、この天井板５０８における前記貫通窓５０８ｆのカートリッジ引き抜き側開口縁には、前記立ち上がり壁５０８ｇの近傍に位置するスプリング係止片５０８ｈが切り起こし形成されている。
【００８９】
さらに、この天井板５０８のカートリッジ引き抜き側端縁における前記側面板５０７の近傍にはカートリッジ挿抜方向に延在する長孔からなる平面視略長方形状の貫通窓５０８ｉが設けられており、この貫通窓５０８ｉの前方の前記側面板５０７寄りにはホルダー上方に突出する突子５０８ｊがバーリング加工によって形成されている。
【００９０】
さらにまた、この天井板５０８のカートリッジ挿入側端縁およびカートリッジ引き抜き側端縁には、前記カートリッジ収納部３０２に位置するディスクカートリッジ２０１を前記シャーシ（図示せず）側に押圧する突子５０８ｋ〜５０８ｍが形成されている。
【００９１】
この天井板５０８に連接してなる両側側面板５０６，５０７のうち一方の側面板５０６の下方端縁前端部およびカートリッジ挿抜方向略中央部には前記ディスクカートリッジ２０１を保持するホルダー片５０９，５１０が一体に設けられており、これらホルダー片５０９，５１０のカートリッジ引き抜き側端縁にはカートリッジ挿入時に前記ディスクカートリッジ２０１を案内するガイド５０９ａ，５１０ａが一体に設けられている。
【００９２】
この側面板５０６のカートリッジ引き抜き側端縁にはカートリッジ挿入時に前記ディスクカートリッジ２０１を案内するガイド５０６ａが一体に設けられており、カートリッジ挿入側端部にはカートリッジ挿抜時に前記ディスクカートリッジ２０１の誤挿入防止用凹溝２２８内に臨む誤挿入防止用突起５０６ｂが一体に設けられている。
【００９３】
また、この側面板５０６の誤挿入防止用突起５０６ｂ近傍には、カートリッジ挿入状態においてカートリッジ装着用アーム（後述）のカートリッジ係止片（後述）が挿通する開口部５０６ｃが設けられている。
【００９４】
そして、この側面板５０６に間隔をもって対向する他方の側面板５０７の下方端縁カートリッジ引き抜き側端部には前記ディスクカートリッジ２０１を保持するホルダー片５１１が一体に設けられており、このホルダー片５１１のカートリッジ引き抜き側端縁にはカートリッジ挿入時に前記ディスクカートリッジ２０１を案内するガイド５１１ａが一体に設けられている。
【００９５】
この他方の側面板５０７のカートリッジ引き抜き側端縁には、カートリッジ挿入時に前記ディスクカートリッジ２０１を案内するガイド５０７ａおよびこのガイド５０７ａのカートリッジ挿入側において開口し板ばね（後述）のシャッタ係止片（後述）が臨む貫通窓５０７ｂが設けられている。
【００９６】
また、この側面板５０７には前記貫通窓５０７ｂのカートリッジ挿入側に位置し前記板ばね５０５の摺動摩擦を軽減しかつ前記ディスクカートリッジ２０１をカートリッジ幅方向片側に押圧するカートリッジ接触子（後述）によるカートリッジ押圧位置のばらつき発生を防止する略半球状の突子５０７ｃが一体に形成されており、この突子５０７ｃと前記貫通窓５０７ｂとの間にはそのピン中間部に板ばね抜け防止用のフランジ５０７ｄ１を有し前記板ばね５０５をカートリッジ挿抜方向に案内する保持ピン５０７ｄが取り付けられている。
【００９７】
５１２は前記ディスクカートリッジ２０１の挿抜によって回動するカートリッジ装着用アームで、前記ホルダー本体５０４の天井板５０８における前記側面板５０６寄りのカートリッジ挿入側端部に支軸５１３を介して枢支されており、全体が平面視略扇形状のアームによって形成されている。
【００９８】
このカートリッジ装着用アーム５１２の反枢支側端部には、前記ディスクカートリッジ２０１の挿入状態において前記カートリッジ２０３の凹孔２２９内に臨むカートリッジ係止片５１２ａおよび前記天井板５０８の切欠き溝５０８ｅ内に臨むカートリッジ接触片５１２ｂが一体に設けられている。
【００９９】
また、このカートリッジ装着用アーム５１２には、前記支軸５１３の近傍において開口し前記両アーム浮き上がり防止片５０８ｃ，５０８ｄのうちカートリッジ挿入側のアーム浮き上がり防止片５０８ｃが臨むアーム回動規制用溝５１２ｃが形成されている。
【０１００】
なお、カートリッジ装着用アーム５１２は、前記カートリッジ係止片５１２ａと前記カートリッジ２０３との係止状態を解除する方向に引張コイルスプリング５１４によって常時回動付勢されている。
【０１０１】
一方、カートリッジホルダー５０１の板ばね５０５は、前記側面板５０７に対向しカートリッジ挿抜方向に延在する側面視階段状の第１ばね片５３１と、この第１ばね片５３１のカートリッジ挿入側上方端縁に一体に折り曲げ形成され前記天井板５０８のホルダー上方に位置する平面視略Ｌ字状の第２ばね片５３２と、この第２ばね片５３２のカートリッジ引き抜き側に設けられかつ前記第１ばね片５３１の上方端縁に一体に折り曲げ形成され前記第２ばね片５３２と同一の平面内で延在する平面視略台形状の第３ばね片５３３と、この第３ばね片５３３のカートリッジ挿入側に設けられかつ前記第２ばね片５３２のカートリッジ挿入側端縁に一体に折り曲げ形成され前記天井板５０８の立ち上がり壁５０８ｇのカートリッジ引き抜き側に位置する平面視略コ字状の第４ばね片５３４とからなり、前記ディスクカートリッジ２０１の引き抜きによって前記シャッタ部材２１１を全閉位置に移動操作してから、カートリッジ引き抜き方向に移動しながら前記シャッタ部材２１１の係止状態を解除する方向に弾性変形し得るように構成されている。
【０１０２】
なお、この板ばね５０５は、前記ディスクカートリッジ２０１の引き抜き後にはカートリッジ挿入方向に移動しながら弾性復帰する。
【０１０３】
この板ばね５０５の第１ばね片５３１には、カートリッジ引き抜き側下方端縁において前記貫通窓５０７ｂを挿通して前記カートリッジ収納部５０２に突出する折曲片５１９が形成されており、この折曲片５１９には前記ディスクカートリッジ２０１の挿抜によって前記シャッタ部材２１１のシャッタ開口部２１４ａ1内外を進退する断面視略コ字状のシャッタ係止片５２０が絞り加工によって形成されている。
【０１０４】
この第１ばね片５３１のシャッタ係止片５２０には、前記シャッタ部材２１１の係止状態において前記シャッタ開口部２１４ａ１内に臨む係止部５２０ａ１およびこの係止部５２０ａ１を介して連接するガイド部５２０ａ２，５２０ａ３が設けられている。
【０１０５】
そして、この第１ばね片５３１は、前記カートリッジホルダー５０１のカートリッジ収納部５０２に対する前記ディスクカートリッジ３０１の挿入によって前記シャッタ係止片５２０の係止部５２０ａ１が前記シャッタ部材２１１のシャッタ開口部２１４ａ１内に進入し、前記カートリッジホルダー５０１のカートリッジ収納部５０２からの前記ディスクカートリッジ２０１の引き抜きによって前記シャッタ係止片５２０の係止部５２０ａ１が前記シャッタ部材２１１のシャッタ開口部２１４ａ１の縁部を係止するように構成されている。
【０１０６】
また、この第１ばね片５３１のカートリッジ引き抜き側端縁には、前記カートリッジ収納部５０２における前記ディスクカートリッジ２０１の前記シャッタ部材２１１の連結片部２１４を前記ホルダー本体５０４の側面板５０６側に押圧する平面視略Ｕ字状のカートリッジ接触子５３１ａが一体に形成されている。
【０１０７】
なお、この第１ばね片５３１のカートリッジ接触片５３１ａの突出高さは、前記カートリッジホルダー５０１のカートリッジ収納部５０２に対する前記シャッタ部材２１１の挿入状態において図５に示すように前記シャッタ係止片５２０の突出高さよりｘだけ小さい寸法に設定されている。
【０１０８】
これにより、この第１ばね片５３１のシャッタ係止片５２０は、前記カートリッジ収納部５０２および前記ディスクカートリッジ２０１の各カートリッジ幅方向寸法に影響されることなく、前記カートリッジホルダー５０１に対する前記ディスクカートリッジ２０１の挿入状態において前記シャッタ部材２１のシャッタ開口部２１４ａ１内に寸法ｘだけ臨むことになる。
【０１０９】
さらに、この第１ばね片５３１のカートリッジ挿入側端部には、前記保持ピン５０７ｄが臨み前記第２ばね片５３１の近傍位置からカートリッジ挿入方向に延在する長孔５３１ｂ１およびこの長孔５３１ｂ１に連通する板ばね取り付け・取り外し用の丸孔５３１ｂ２からなる貫通孔５３１ｂが設けられている。
【０１１０】
この第１ばね片５３１に連接する第２ばね片５３２は、カートリッジホルダー幅方向に延在する水平部５３２ａと、この水平部５３２ａに連設され前記天井板５０８の貫通窓５０８ｉから前記カートリッジ収納部５０２に臨むストッパ機能付きの断面視略コ字状の段部片５３２Ｂをそのカートリッジ挿抜方向中間部に有する垂直部５３２ｂとによって構成されている。
【０１１１】
この第２ばね片５３２の水平部５３２ａのカートリッジホルダー幅方向中間部には、前記ホルダー本体５０４の天井板５０８に対する前記板ばね５０５の摺動摩擦を軽減する略半球状の突子５３２ａ１が一体に設けられている。
【０１１２】
また、この第２ばね片５３２の垂直部５３２ｂの先端部には前記ホルダー本体５０４の天井板５０８に対する前記板ばね５０５の摺動摩擦を軽減する略半球状の突子５３２ｂ１が一体に設けられており、前記段部片５３２Ｂには前記カートリッジ収納部５０２における前記ディスクカートリッジ２０１の前記シャッタ部材２１１の第２シャッタ板部２１３を前記シャーシ（図示せず）側に押圧するカートリッジ接触子５３２Ｂ１が一体に設けられている。
【０１１３】
この第２ばね片５３２の前記側面板５０７寄りに位置する第３ばね片５３３には、前記側面板５０７寄りの端部を平面視略コ字状の切欠きを形成することにより前記板ばね５０５がカートリッジ引き抜き方向に移動することにより前記突子５０８ｊに押圧して前記板ばね５０５に前記側面板５０７から離間する方向に弾性変形力を付与するカム部５３３ａが設けられている。
【０１１４】
なお、この第３ばね片５３３におけるカム部５３３ａのカートリッジ挿入側端部には、前記板ばね５０５のカートリッジ引き抜き方向移動を規制するストッパ５３３ａ１が設けられている。
【０１１５】
また、この第３ばね片５３３の下面部には、前記ホルダー本体５０４の天井板５０８に対する前記板ばね５０５の摺動摩擦を軽減する略半球状の突子５３３ｂが一体に設けられている。
【０１１６】
この第３ばね片５３３の後方に位置する第４ばね片５３４は自由端部が前記天井板５０８のスプリング係止片５０８ｈに係止されており、両端部には前記天井板５０８の立ち上がり壁５０８ｇに接触可能な折曲部５３４ａ，５３４ｂが形成されている。
【０１１７】
このように構成されたカートリッジホルダー５０１におけるカートリッジ収納部５０２に対して図１に矢印Ｄ１で示す方向にディスクカートリッジ２０１を挿入すると、カートリッジ２０３のガイド面２０３ａが板ばね５０５の第１ばね片５３１のカートリッジ接触子５３１ａに押圧接触する。
【０１１８】
このとき、板ばね５０５は第１ばね片５３１がカートリッジホルダー５０１におけるホルダー本体５０４の側面板５０７から離間する方向に押圧力を受けて弾性変形する。
【０１１９】
このディスクカートリッジ２０１を矢印Ｄ１方向にさらに挿入すると、カートリッジ２０３のガイド面２０３ａが板ばね５０５のシャッタ係止片５２０のガイド部５２０ａ２に押圧接触する。
【０１２０】
このとき、板ばね５０５は第１ばね片５３１が側面板５０７から離間する方向に押圧力を受けてさらに弾性変形する。
【０１２１】
このディスクカートリッジ２０１を矢印Ｄ１方向にさらに挿入すると、シャッタ係止片５２０の係止部５２０ａ１がカートリッジ２０３のガイド面２０３ａから図１に矢印Ｄ２で示す方向に相対移動してカートリッジ２０３の一方側側面部２０７に乗り上げる。
【０１２２】
そして、ディスクカートリッジ２０１を矢印Ｄ１方向にさらに挿入すると、シャッタ係止片５２０の係止部５２０ａ１が矢印Ｄ２方向にさらに相対移動してシャッタ部材２１１の連結片部２１４に乗り上げ、ホルダー本体５０４のシャッタ開放用突起５０３がカートリッジ２０３のシャッタ開放用凹溝２２４内に臨む。
【０１２３】
このディスクカートリッジ２０１を矢印Ｄ１方向にさらに挿入すると、シャッタ係止片５２０の係止部５２０ａ１が矢印Ｄ２方向にさらに相対移動して連結片部２１４のシャッタ開口部２１４ａ１に到達すると共に、これと略同時にホルダー本体５０４のシャッタ開放用突起５０３から連結片部２１４が押圧力を受けてシャッタ部材２１１が図１に矢印Ｙ１で示す開方向に移動する。
【０１２４】
このとき、板ばね５０５の第１ばね片５３１が側面板５０７に接近する方向に弾性復帰してシャッタ係止片５２０の係止部５２０ａ１がシャッタ部材２１１における連結片部２１４のシャッタ開口部２１４ａ１内に落ち込むと共に、カートリッジ２０３の第１開口部２０６，第２開口部２１６が一部開放して光磁気ディスク２０２の信号記録面一部がカートリッジ２０３外に露呈する。
【０１２５】
そして、図１に矢印Ｄ１で示す方向にディスクカートリッジ２０１をさらに挿入すると、シャッタ部材２１１がシャッタ開放用突起５０３の押圧接触によって矢印Ｙ１方向にさらに移動し、カートリッジ装着用アーム５１２のカートリッジ接触片５１２ｂにカートリッジ２０３の前面部２０９が当接する。
【０１２６】
そして、ディスクカートリッジ２０１が矢印Ｄ１方向にさらに挿入すると、シャッタ開放用突起３０３の押圧によってシャッタ部材２１１が矢印Ｙ１方向にさらに移動すると共に、カートリッジ２０３の押圧によってカートリッジ装着用アーム５１２が引張コイルスプリング５１４の弾撥力に抗して図１に矢印Ｅ１で示す方向に回動する。
【０１２７】
この後、ディスクカートリッジ２０１の挿入によるシャッタ開放用突起３０３の押圧によってシャッタ部材２１１が全開位置に移動する。
【０１２８】
また、ディスクカートリッジ２０１の挿入によるカートリッジ２０３の押圧によってカートリッジ装着アーム５１２が係止位置に回動し、カートリッジ係止片５１２ａがカートリッジ２０３の凹孔２２９内に臨む。
【０１２９】
一方、カートリッジ挿入位置におけるカートリッジ装着アーム５１２の係止状態を解除すると、引張コイルスプリング５１４の弾撥力によってカートリッジ装着アーム５１２が図１に矢印Ｅ２で示す方向に回動し、このカートリッジ装着アーム５１２のカートリッジ係止片５１２ａがカートリッジ２０３の凹孔２２９外に露出する。
【０１３０】
このとき、カートリッジ装着アーム５１２のカートリッジ係止片５１２ａとカートリッジ２０３の凹孔２２９との係止状態が解除される。
【０１３１】
そして、カートリッジ装着アーム５１２が矢印Ｅ２方向に回動すると、カートリッジ接触片５１２ｂの押圧接触によってディスクカートリッジ２０１が図１にＤ２で示す方向に移動すると共に、シャッタ係止片５２０の係止部５２０ａ１の矢印Ｄ１方向への相対移動による押圧接触によってシャッタ部材２１１が全開位置から図１に矢印Ｙ２で示す閉方向に移動して全閉する。
【０１３２】
ここで、ディスクカートリッジ２０１を矢印Ｄ２方向に引き抜くと、ディスクカートリッジ２０１と共に板ばね５０５が同方向に移動しながら、シャッタ係止片５２０の係止部５２０ａ１と連結片部２１４のシャッタ開口部２１４ａ１との係止状態を解除する。
【０１３３】
このとき、板ばね５０５における第３ばね片５３３のカム部５３３ａとホルダー本体５０４における天井板５０８の突子５０８ｊとの押圧接触によるカム作用によって第３ばね片５３３がカム部５３３ａから押圧力と移動力を受け、第１ばね片５３１がホルダー本体５０４の側面板５０７から離間する方向に弾性変形しながら、シャッタ係止片５２０の係止部５２０ａ１がシャッタ開口部２１４ａ１外に露出してシャッタ部材２１１の連結片部２１４に乗り上げる。
【０１３４】
そして、ディスクカートリッジ２０１を矢印Ｄ２方向にさらに引き抜くと、板ばね５０５のシャッタ係止片５２０がディスクカートリッジ２０１に対して矢印Ｄ１方向にさらに相対移動してカートリッジ２０３の一方側側面部２０７に乗り上げると共に、ホルダー本体５０４のシャッタ開放用突起５０３がカートリッジ２０３のシャッタ開放用凹溝２２４外に露出する。
【０１３５】
この後、ディスクカートリッジ２０１を矢印Ｄ２方向にさらに引き抜き、板ばね５０５のシャッタ係止片５２０を矢印Ｄ１方向に相対移動操作してカートリッジ２０３の一方側側面部２０７に対する押圧状態を解除すると、板ばね５０５が矢印Ｄ１方向に移動しながら弾性復帰し、ディスクカートリッジ２０１がホルダー本体５０４のカートリッジ収納部５０２外に露出する。
【０１３６】
したがって、本実施例においては、カートリッジ収納部５０２からのディスクカートリッジ２０１の引き抜き時にカートリッジ引き抜き抵抗が小さくなってディスクカートリッジ２０１の円滑な引き抜き動作が得られると共に、シャッタ部材２１１が全閉位置に移動してから、ディスクカートリッジ２０１の引き抜き完了状態が得られる。
【０１３７】
このため、従来のように板ばね５０５のばね定数を厳密な数値に設定する必要がないから、板ばね５０５の形状や寸法等の許容範囲を拡げることができる。
【０１３８】
また、本実施例においては、カートリッジ収納部５０２に対するディスクカートリッジ２０１の挿入時に図５（Ａ）および（Ｂ）に示すようにディスクカートリッジ２０１のシャッタ部材２１１が板ばね５０５の第１ばね片５３１のカートリッジ接触子５３１ａによってカートリッジ幅方向片側に矢印Ｑ方向の押圧力を受けるから、カートリッジ挿入時にディスクカートリッジ２０１の良好な姿勢を得ることができる。
【０１３９】
さらに、本実施例においては、カートリッジ収納部５０２におけるディスクカートリッジ２０１のシャッタ部材２１１の第２シャッタ板部２１３がカートリッジ厚さ方向に板ばね５０５の第２ばね片５３２のカートリッジ接触子５３２Ｂ１によって押圧力を受けるから、図６に示すようにカートリッジ挿入状態においてディスクカートリッジ２０１のカートリッジ２０３とシャッタ部材２１１にホルダー本体５０４の天井板５０８からカートリッジ接触子５３２Ｂ１を含む４個の突子（カートリッジ接触子５３２Ｂ１の他突子５０８ｋ〜５０８ｍ）を介して押圧力Ｆが作用する。
【０１４０】
この場合、カートリッジ接触子５３２Ｂ１と各突子５０８ｋ〜５０８ｍからディスクカートリッジ２０１が受ける押圧力ｆ１の大きさは、カートリッジホルダー５０１のカートリッジ収納部５０２に対するディスクカートリッジ２０１の挿入状態においてホルダー本体５０４の天井板５０８からカートリッジ２０３の上面部が押圧力Ｆを受けるとすると、ｆ１＝Ｆ／４となる。
【０１４１】
なお、本発明における板ばね５０５の形状等は、前述した実施例に特に限定されるものでないことは勿論である。
【０１４２】
【発明の効果】
以上説明したように本発明によれば、ディスクカートリッジの引き抜きによってカートリッジシャッタを係止するカートリッジシャッタ閉塞用の板ばねを、ディスクカートリッジの引き抜きによってカートリッジシャッタを全閉位置に移動操作してから、カートリッジ引き抜き方向に移動しながらカートリッジ係止状態を解除する方向に弾性変形する板ばねによって構成したので、カートリッジ引き抜き時にカートリッジ引き抜き抵抗が小さくなってディスクカートリッジの円滑な引き抜き動作が得られると共に、カートリッジシャッタが全閉位置に移動してから、ディスクカートリッジの引き抜き完了状態が得られる。
【０１４３】
したがって、従来のように板ばねのばね定数を厳密な数値に設定する必要がないから、板ばねの形状や寸法等の許容範囲を拡げることができ、板ばねの設計自由度を高めることができる。
【０１４４】
また、板ばねのカートリッジ引き抜き側にシャッタ係止片とカートリッジ接触子をもうけたので、シャッタ係止片はカートリッジ幅方向寸法に影響されることなく、カートリッジホルダーに対するディスクカートリッジの挿入状態においてシャッタ部材のシャッタ開口部内に所定の寸法だけ臨むことになる。
【０１４５】
したがって、カートリッジ挿入時にディスクカートリッジの良好な姿勢を得ることができるから、カートリッジ挿入ミスの発生を防止することができる。
【０１４６】
請求項２において、板ばねにカートリッジ収納部におけるディスクカートリッジをカートリッジ厚さ方向片側に押圧する段部片を設けたので、カートリッジ収納部におけるディスクカートリッジが板ばねによってカートリッジ厚さ方向に押圧力を受ける。
【０１４７】
したがって、カートリッジ挿入状態においてディスクカートリッジにホルダー本体から板ばねを含む突子を介して押圧力を作用させることができるから、ホルダー本体やディスクカートリッジの歪み発生を抑制することができる。
【図面の簡単な説明】
【図１】本発明に係るカートリッジホルダーとディスクカートリッジを示す斜視図。
【図２】本発明におけるカートリッジホルダーの板ばねを示す斜視図。
【図３】本発明におけるカートリッジホルダーを示す平面図。
【図４】（Ａ）および（Ｂ）は図３のＡ部分を拡大し、板ばねの初期状態と変形状態を示す平面図。
【図５】（Ａ）および（Ｂ）は本発明におけるカートリッジホルダーに対するディスクカートリッジの挿入状態を示す下面図とそのＢ部分を拡大して示す断面図。
【図６】本発明におけるカートリッジホルダーによるディスクカートリッジの押圧状態を説明するために示す斜視図。
【図７】ディスクカートリッジを示す分解斜視図。
【図８】（Ａ）および（Ｂ）は上方から見たディスクカートリッジのシャッタ閉状態とシャッタ開状態を示す斜視図。
【図９】（Ａ）および（Ｂ）は下方から見たディスクカートリッジのシャッタ閉状態とシャッタ開状態を示す斜視図。
【図１０】従来のカートリッジホルダーを示す分解斜視図。
【図１１】従来のカートリッジホルダーとディスクカートリッジを示す斜視図。
【図１２】従来のカートリッジホルダーに対するディスクカートリッジの挿入状態を示す下面図。
【図１３】従来のカートリッジホルダーによるディスクカートリッジの押圧状態を説明するために示す斜視図。
【符号の説明】
２０１…ディスクカートリッジ
２１１…シャッタ部材
５０１…カートリッジホルダー
５０２…カートリッジ収納部
５０３…シャッタ開放用突起
５０４…ホルダー本体
５０５…板ばね
５０８…天井板
５０８ｊ…突子
５２０…シャッタ係止片
５３１…第１ばね片
５３１ａ…カートリッジ接触子
５３２…第２ばね片
５３２Ｂ１…カートリッジ接触子
５３３…第１ばね片
５３３ａ…カム部
【図１】
0003561971.tif 000002
【図２】
0003561971.tif 000003
【図３】
0003561971.tif 000004
【図４】
0003561971.tif 000005
【図５】
0003561971.tif 000006
【図６】
0003561971.tif 000007
【図７】
0003561971.tif 000008
【図８】
0003561971.tif 000009
【図９】
0003561971.tif 000010
【図１０】
0003561971.tif 000011
【図１１】
0003561971.tif 000012
【図１２】
0003561971.tif 000013
【図１３】
0003561971.tif 000014